(57)【要約】    【課題】  屋外などでも簡単且つ手軽にお茶を入れて飲むことが出来る飲用具を提供する。    【解決手段】  コップ本体と、コップ本体の上部開口を密閉する蓋体とが備えられた飲用具であって、蓋体の下面側には茶葉の収容部が設けられ、前記収容部には複数の小孔が開設され、蓋体には前記収容部に飲料水を注ぐための注ぎ口が設けられ、注ぎ口は取り外し可能なカバーで閉鎖され、このカバーは、注ぎ口から取り外した後、この注ぎ口を再閉鎖可能である。  【選択図】  図１
2005224261.tif 000002
【特許請求の範囲】
【請求項１】
コップ本体内の上部開口近くに、茶葉の投入口と水の通過を許容する通水孔とを備えた茶葉の通過を規制する仕切り体が設けられていることを特徴とする飲用具。
【請求項２】
仕切り体が可撓性材料により下方に向かって先細となる漏斗状に形成されて、その先細部分に茶葉の投入口が開口すると共に、前記仕切り体には、前記投入口から放射状に延びるスリットが形成されていることを特徴とする請求項１に記載の飲用具。
【請求項３】
投入口が、仕切り板の端縁部に設けられていることを特徴とする請求項１に記載の飲用具。
【請求項４】
仕切り板が上方に向かって先細状に形成されて、その先細部分に茶葉の投入口が開口すると共に、仕切り板よりも下方のコップ本体内には、投入口を閉鎖可能で且つ水に浮く逆止弁が内装されていることを特徴とする請求項１に記載の飲用具。
【発明の詳細な説明】
【技術分野】
【０００１】
本発明は、例えば野外などでも手軽にお茶を入れて飲むことが出来るお茶用飲料具に関する。
【背景技術】
【０００２】
例えば日本茶や中国茶などを飲みたい時には、まず茶筒に保存している茶葉を急須に所定量入れて、お湯を急須に注いだ上で、一定時間経過した後、出来上がったお茶を急須から別途用意したコップなどの器に移し替えて、適宜飲むようにしている。
【０００３】
ところで以上のようなお茶の飲み方は、家庭内では簡単に行なえるにしても、茶筒と急須とコップをそれぞれ用意する必要があることから、例えば野外や職場ではお茶を入れ難くいものである。
【０００４】
このような不具合に対しては、例えばコップ内の底部近くにフィルターを組付けて、コップ内におけるフィルターの下方に茶葉を収納した飲用具が提案されている。
【０００５】
（特許文献１参照）
【特許文献１】特開平８−２４３０２８号  以上の公開公報に開示された飲用具では、コップ内にお湯を注ぐだけで、フィルターの下方に収容された茶葉の成分が抽出されて、お茶が簡単に出来る。
【０００６】
ところで、茶葉は特に湿気に弱いものであるが、前述の公開公報に示された飲用具では、コップ内に組み付けたフィルターとコップ内の底部との間の空間に予め茶葉を収容する構造であるので、茶葉を例えばアルミ製の袋に入れておくことが出来ず、茶葉を前記空間内にそのまま入れるしかなく、そのため茶葉を湿気から保護するのが非常に困難であり、長期間の保管が出来ない。
【０００７】
また特に緑茶や紅茶の葉で美味しいお茶を出す場合には、茶葉をお湯の中で自由に泳がせて大きく開かせるのが好ましいのであるが、前述の飲用具では、フィルターがコップ内の底部近くに組み付けられているので、茶葉を湯の中で蒸らす空間が非常に狭くて、茶葉をお湯の中で自由に泳がせることが出来ず、美味しいお茶を出すことが出来ない不具合がある。
【発明の開示】
【発明が解決しようとする課題】
【０００８】
本発明は以上の実情に鑑みて開発したものであって、目的とするところは、屋外などでも簡単且つ手軽に美味しいお茶を入れて飲むことが出来る飲用具を提供するにある。
【課題を解決するための手段】
【０００９】
以上の目的を達成するため、請求項１に記載の発明は、コップ本体内の上部開口近くに、茶葉の投入口と水の通過を許容する通水孔とを備えた茶葉の通過を規制する仕切り体が設けられていることを特徴とするものである。
【００１０】
請求項２に記載の発明は、請求項１に記載の仕切り体が可撓性材料により下方に向かって先細となる漏斗状に形成されて、その先細部分に茶葉の投入口が開口すると共に、前記仕切り体には、前記投入口から放射状に延びるスリットが形成されていることを特徴とするものである。
【００１１】
また請求項３に記載の発明は、請求項１に記載の投入口が、仕切り板の端縁部に設けられていることを特徴とするものである。
【００１２】
また請求項４に記載の発明は、請求項１に記載の仕切り板が上方に向かって先細状に形成されて、その先細部分に茶葉の投入口が開口すると共に、仕切り板よりも下方のコップ本体内には、投入口を閉鎖可能で且つ水に浮く逆止弁が内装されていることを特徴とするものである。
【発明の効果】
【００１３】
請求項１に記載の発明によれば、茶葉を例えばアルミ製の袋などに保管しておき、お茶を飲む際に袋の茶を投入口を介してコップ本体内に入れて、お湯を注ぐだけで、そのますぐにお茶を飲むことが出来、しかも茶葉をお湯の中で自由に泳がせて大きく開かせることも出来るので、簡単且つ手軽に美味しいお茶を入れることが出来る。
【００１４】
請求項２に記載の発明によれば、請求項１に記載の発明の効果に加え、茶葉をスムーズに投入口を介してコップ本体内に投入することが出来、また茶葉が投入口を通り難い場合は、例えば指で仕切り体の中央部位を下方に押し込んで、仕切り体におけるスリット間の壁を下方に変形させるだけで、投入口が大きく開いて茶葉を通過させることが出来る。
【００１５】
請求項３に記載の発明によれば、請求項１に記載の発明の効果に加え、コップ本体における投入口とは反対側から飲むことで、茶葉が投入口を通過するのが抑制され、茶飲料に茶葉が混入するのを確実に抑制することができる。
【００１６】
また請求項４に記載の発明によれば、請求項１に記載の発明の効果に加え、茶葉をコップ本体内に投入しやすくするために投入口を大きく形成しても、お茶を飲む際には、投入口が逆止弁で閉じられて茶葉の通過が規制されるので、茶飲料に茶葉が混入するのを確実に抑制することができる。
【発明を実施するための最良の形態】
【００１７】
図１〜図３において符号１で示す飲用具は、基本的には、底を備えた略円筒状のコップ本体２と、このコップ本体２内に組み付けられる仕切り体３と、コップ本体２の上部開口２０を閉鎖するための蓋体４とから構成され、これらコップ本体２、仕切り体３、蓋体４はいずれも可撓性を有する合成樹脂材料から形成されている。
【００１８】
コップ本体２の上部開口縁には、径方向外方に突出するフランジ２１が周設され、またコップ本体２内の上部開口２０近くの内周面には、リング状の凸部２２とリング状の段部２３とが所定間隔開けて対向状に設けられて、これら凸部２２と段部２３との間に後記する仕切り体３の周縁を嵌合させるようにしている。
【００１９】
またコップ本体２の外周面には、上下方向に延びる多数のリブ２４が所定間隔開けて突設されている。
【００２０】
仕切り体３は、図１、図３にも示すように、下方に向かって先細となる漏斗状に形成されて、その先細部分に茶葉の投入口２１が開口している。
【００２１】
また仕切り体３には、前記投入口２１から放射状に延びるスリット３２が複数形成されると共に、仕切り体３の周縁部には、多数の小孔３３が形成され、これらスリット３２及び小孔３３が、茶葉の通過を規制して水の通過を許容する通水孔３４として用いられている。
【００２２】
以上の仕切り体３は、スリット３２間の壁を下方に押し込んで撓ませることで、投入口２１を大きく開けるようにしている。
【００２３】
また以上の仕切り体３は、その周縁部をコップ本体２内の凸部２２と段部２３との間に取り外し可能に嵌合させるのであって、この仕切り体は、その周縁部上面に突設した摘み３５を持って仕切り体３をコップ本体２に対して上方に引き上げることで、仕切り体３を弾性変形させてコップ本体２から取り外せるようにしている。
【００２４】
一方、蓋体４は、その外周にコップ本体２のフランジ２１が嵌合可能なリング状の嵌合溝４１を有する嵌合部４２が周設され、嵌合溝４１内へのフランジ２１の嵌合により、コップ本体２内が蓋体４で密閉されるようにしている。
【００２５】
尚、以上の飲用具では、アルミ製の袋５に茶葉を所定量充填したものを用意して、この袋５を仕切り体３上に載せた上で、蓋体４でコップ本体２の上部開口２０を閉鎖し、コップ本体２及び蓋体３の周りを熱収縮性フィルムからなる包装材で覆って販売するようにしている。
【００２６】
以上の構造の飲用具１により茶を飲むには、まず蓋体４をコップ本体２から取り外して、袋５内の茶葉をカップ本体２の上部開口２０から仕切り体３に投入するのであって、カップ本体２の上部開口２０から投入される茶葉は、漏斗状に形成された仕切り体３の案内により投入口３１介してコップ本体２内に収納される。
【００２７】
この時、例えば茶葉が大きくて投入口３１からカップ本体２内に入り難い場合には、例えば指で仕切り体３の中央部位を下方に押し込むことで、仕切り体３におけるスリット３２間の壁を下方に変形させて、投入口３１を大きく開かせて、茶葉を通過させればよい。
【００２８】
そして茶葉がコップ本体２内に収容されたら、次にお湯をコップ本体２の上部開口２０から収容部４内に一定量注ぎ、再度蓋体４で上部開口２０を閉じるのであって、茶葉は、コップ本体２内に注いだお湯の全体の中で自由に舞い泳ぎ、時間の経過と共に大きく開いて、美味しいお茶を出すのである。
【００２９】
しかしてお湯を入れてから所定時間経過後、蓋体４をコップ本体２から取り外して、コップ本体２内に出来上がったお茶を飲めばよいのであって、お茶を飲む際、コップ本体２内の茶葉は仕切り体３で受け止められるので、茶葉が飲む茶飲料に混入するのが抑制される。
【００３０】
尚、以上の実施形態において、袋５に詰める茶葉としては、中国茶、日本茶、紅茶、あるいはハーブティーが好ましい。
【００３１】
また図４〜図６は、本発明にかかる飲用具１の別の実施形態であって、図４〜図６に示す飲用具１を構成する構成部材中、コップ本体２及び蓋体４は、前記した図１〜図３に示す飲用具１のものと同一であるので、これらコップ本体２及び蓋体４の構造の説明は省略し、構造が異なる仕切り板３のみを説明する。
【００３２】
即ち、図４〜図６に示す飲用具１の仕切り体３は、略円板状に形成されるとともに、その周縁部の一部を切り欠いて、投入口３１が開設されているのであって、投入口３１には、仕切り板３の端縁から上方に立ち上がる縦壁３６が一体形成されている。
【００３３】
また仕切り板３には、通水孔３４を構成する多数の小孔３３が形成されている。
【００３４】
以上の仕切り体３にあっても、その周縁部をコップ本体２内の凸部２２と段部２３との間に取り外し可能に嵌合させ、また仕切り体３の周縁部上面に突設した摘み３５を持って仕切り体３をコップ本体２に対して上方に引き上げることで、仕切り体３を弾性変形させてコップ本体２から取り外せるようにしている。
【００３５】
以上の構造の飲用具１により茶を飲むには、まず蓋体４をコップ本体２から取り外して、袋５内の茶葉をカップ本体２の上部開口２０から投入口３１を介してコップ本体２内に投入し、続いてお湯をコップ本体２の上部開口２０から収容部４内に一定量注ぎ、再度蓋体４で上部開口２０を閉じるのであって、茶葉は、コップ本体２内に注いだお湯の全体の中で自由に舞い泳ぎ、時間の経過と共に大きく開いて、美味しいお茶を出すのである。
【００３６】
しかしてお湯を入れてから所定時間経過後、蓋体４をコップ本体２から取り外して、コップ本体２内に出来上がったお茶を飲めばよいのであって、お茶を飲む際、コップ本体２内の茶葉は仕切り体３で受け止められるので、茶葉が飲む茶飲料に混入することがない。
【００３７】
特に以上の実施形態の飲用具でお茶を飲むに際しては、コップ本体における前記投入口３１とは反対側から飲むのであって、投入口３１が仕切り体３の端部に設けられているので、お茶を飲む際、前記したようにコップ本体における前記投入口３１とは反対側から飲むことで、茶葉が飲む茶飲料に混入するのがより一層確実に抑制することが出来る。
【００３８】
また更に図７は、本発明にかかる飲用具１の別の実施形態であって、図７に示す飲用具１の構成部材中、コップ本体２及び蓋体４は、前記した図１〜図３に示す飲用具１のものと基本的に同一であるので、コップ本体２及び蓋体４の構造の説明は省略し、構造が異なる仕切り板３を説明する。
【００３９】
尚、コップ本体２の内周面に形成されるリング状の凸部２２及び段部２３は、図１〜図３に示す実施形態のものよりも若干低い位置に形成されている。
【００４０】
しかして、図７に示す飲用具１の仕切り体３は、上方に向かって先細となる漏斗状に形成されて、その先細部分に茶葉の投入口３１が開口している。
【００４１】
この投入口３１は、茶葉の投入が容易に行なえるように、図１〜図３に示す実施形態の投入口２１よりも大きく形成されている。
【００４２】
また仕切り体３には、通水孔３４として多数の小孔３３が形成されている。
【００４３】
一方、仕切り体３で仕切られたコップ本体２内には、中空のプラスチック製球体から形成された水Ｗに浮く逆止弁３７が収容されている。
【００４４】
以上の構成からなる飲用具によりお茶を飲むに際して、投入口３１がお茶飲料に浮く逆止弁３７により閉鎖されるので、たとえ投入口３１が、茶葉をコップ本体内に投入しやすくするために大きく形成されていても、投入口３１から茶葉が通過するのが阻止され、飲むお茶に茶葉が混じるのが抑制される。
【００４５】
以上の各実施形態では、コップ本体２及び蓋体３を合成樹脂材料から形成したが、これに限定されるものではなく、例えば紙材料から形成しても良い。
【図面の簡単な説明】
【００４６】
【図１】本発明にかかる飲用具の分解斜視図。
【図２】本発明にかかる飲用具の蓋体を取り外した状態での平面図。
【図３】本発明にかかる飲用具の断面図。
【図４】本発明にかかる飲用具の別の実施形態における仕切り体の斜視図。
【図５】本発明にかかる飲用具の別の実施形態における飲用具の蓋体を取り外した状態での平面図。
【図６】本発明にかかる飲用具における別の実施形態の断面図。
【図７】本発明にかかる飲用具における別の実施形態の断面図。
【符号の説明】
【００４７】
１      飲用具
２      コップ本体
２０    上部開口
３      仕切り体
３１    挿入口
３２    スリット
３３    小孔
３４    通水孔
３７    逆止弁
４      蓋体
【図１】
2005224261.tif 000003
【図２】
2005224261.tif 000004
【図３】
2005224261.tif 000005
【図４】
2005224261.tif 000006
【図５】
2005224261.tif 000007
【図６】
2005224261.tif 000008
【図７】
2005224261.tif 000009